(57)【特許請求の範囲】
【請求項１】
交互に逆方向に折り返して伸縮自在としたスクリーンの両端に可動框を連結して、それらの可動框の横引きにより、建物開口部の左右の側枠間の任意位置で上記スクリーンを開閉自在としたスクリーン装置において、
上記両可動框に、スクリーンの伸縮に応じてそれらの可動框の下部から内部に屈曲して出入りし、張設状態にあるスクリーンの下端に沿って導出されたときにそのスクリーンの下端をガイドする可撓のガイド部材を備え、
上記ガイド部材の両端部と可動框の下部との間に、ガイド部材の端部が可動框の下部から脱出するのを防止するストッパ機構を設けた、
ことを特徴とするスクリーン装置。
【請求項２】
ガイド部材の両端に張紐を連結し、上記張紐をガイド部材の両端から各可動框内を上端に導き、それらの上端から各可動框に近い側枠に導いたうえで、各側枠において折り返し、それらの張紐端を相互に連結した状態として、ガイド部材と張紐がループ状をなすように形成した、
ことを特徴とする請求項１に記載のスクリーン装置。
【請求項３】
ガイド部材の両端に張紐を連結し、上記張紐をガイド部材の両端から各可動框内を上端に導き、それらの上端から各可動框に近い側枠に導いて、そこに先端を連結した、
ことを特徴とする請求項１に記載のスクリーン装置。
【請求項４】
可動框に、ガイド部材に連結した張紐を含むあるいは含まない必要数の張紐により該可動框の姿勢を拘束する平行移動機構を付設した、
ことを特徴とする請求項２または３に記載のスクリーン装置。
【発明の詳細な説明】
【０００１】
【発明の属する技術分野】
本発明は、交互に逆方向に折り返した伸縮自在のスクリーンを横引きにより開閉自在とした、防虫、遮光、目隠し、あるいは断熱等のためのスクリーン装置に関するものであり、更に具体的には、伸縮自在としたスクリーンの伸縮に応じて該スクリーンの下端に沿って導出されるガイド部材を備えたスクリーン装置に関するものである。
【０００２】
【従来の技術】
交互に逆方向に折り返した伸縮自在の防虫ネット等のスクリーンを横引きにより開閉自在とし、該スクリーンの伸縮に応じて、スクリーンを取り付けた一方の側枠の下端からその内部に出入りし、該スクリーンの下端に沿って導出されてその下端をガイドする可撓のガイド部材を備えたスクリーン装置は、既に提案されている。
上記既提案のスクリーン装置では、スクリーンを折り畳んだときに、建物開口部の下方にスクリーンの下端をガイドする部材が配置されず、該建物開口部を出入りする者の歩行の障害となるような高さの部材を排除することができるが、横引きにより開閉されるスクリーンの下端はガイド部材によってガイドできるという点で有利なものである。
【０００３】
しかしながら、上記スクリーン装置においては、通常、スクリーンの一端に連結した可動框の下端にガイド部材を取付けているので、スクリーンの開閉のために可動框を開閉操作すると、それに伴ってガイド部材が建物開口部の床面上を擦ることになり、摺擦音が発するばかりでなく、床面に摺動痕が残るという問題がある。また、スクリーンの収納時には、可動框の下端に取り付けたガイド部材が一方の側枠内に収納されるので、可動框は側枠の高さ以上には移動させることができず、スクリーンの開閉の範囲が側枠の高さによって制限されるという問題もある。
【０００４】
更に、上記スクリーン装置では、建物開口部内の右半、左半、中央、その他の任意位置にスクリーンを移動して張設することができず、たとえ、ガイド部材を収容可能にした側枠を可動にして、スクリーンを側枠及び可動框と共に任意の位置に移動可能にしたとしても、可動框の開閉操作に左右の対称性がなく、操作性において問題が生じる可能性がある。
【０００５】
【発明が解決しようとする課題】
本発明の技術的課題は、上述した既提案のスクリーン装置の各種の問題点を、張紐の張設を考慮することにより適宜解消できるようにしたスクリーン装置を提供することにある。
【０００６】
【課題を解決するための手段】
上記課題を解決するための本発明のスクリーン装置は、基本的には、交互に逆方向に折り返して伸縮自在としたスクリーンの両端に可動框を連結して、それらの可動框の横引きにより、建物開口部の左右の側枠間の任意位置で上記スクリーンを開閉自在としたスクリーン装置において、上記両可動框に、スクリーンの伸縮に応じてそれらの可動框の下部から内部に屈曲して出入りし、張設状態にあるスクリーンの下端に沿って導出されたときにそのスクリーンの下端をガイドする可撓のガイド部材を備え、上記ガイド部材の両端部と可動框の下部との間に、ガイド部材の端部が可動框の下部から脱出するのを防止するストッパ機構を設けたことを特徴とするものである。
【０００７】
上記構成を有するスクリーン装置は、一般的には、ガイド部材の両端に張紐を連結し、上記張紐をガイド部材の両端から各可動框内を上端に導き、それらの上端から各可動框に近い側枠に導いたうえで、各側枠において折り返し、それらの張紐端を相互に連結した状態として、ガイド部材と張紐がループ状をなすように形成し、あるいは、ガイド部材の両端に連結した張紐をガイド部材の両端から各可動框内を上端に導き、それらの上端から各可動框に近い側枠に導いて、そこに先端を連結することにより使用されるが、これらに限ることなく、上記ガイド部材の両端に連結した張紐の他端を任意の部位に連結することができる。
また、上記スクリーン装置においては、可動框に、ガイド部材に連結した張紐を含むあるいは含まない必要数の張紐により該可動框の姿勢を拘束する平行移動機構を付設することができる。
【０００８】
上記スクリーン装置におけるガイド部材は、それに対して、スクリーンの開閉に伴って、張紐等を通じて可動框の操作方向に強制的な駆動力が作用する場合には、該ガイド部材が床面を摺擦してその方向に移動するが、上記駆動力が作用せず、あるいは作用しても比較的小さい場合には、ガイド部材と床面との間、あるいはガイド部材と非駆動側の可動框との間に作用する摩擦力等により、床面に対して相対的に移動せず、そのため、ガイド部材が建物開口部の床面上を擦ることはなく、摺擦音が発したり床面に摺動痕が残ることはない。
また、ガイド部材の両端部と可動框の下部との間に、ガイド部材の端部が可動框の下部から脱出するのを防止するストッパ機構を設けることにより、そのストッパ機構により可動框からのガイド部材の脱出を防止できるばかりでなく、それを介して必要時にはガイド部材に強制的な駆動力が与えられるので、ガイド部材の移動の必要がある場合にも格別の操作の必要がなく、スクリーン装置の操作性が改善される。
【０００９】
しかも、上記スクリーン装置では、いわゆるスクリーンの吊元を変更し、建物開口部内の右半、左半、中央、その他の任意位置にスクリーンを移動して張設することができ、それらの場合に、スクリーンの両端に設けた可動框の開閉操作に左右の対称性が付与され、操作性において優れたものとなる。
【００１０】
特に、上記スクリーン装置において、ガイド部材の両端に連結した張紐を各可動框の上端から側枠に導いたうえで折り返し、それらの張紐端を相互に連結してガイド部材と張紐がループ状をなすように形成した場合には、スクリーンの張設位置を変更するときに、場合によって、ガイド部材が床面を摺擦することもあるが、それ以外はガイド部材が床面に対して相対的に移動しない。
また、スクリーンの収納時には、可動框の下端に設けたガイド部材を双方の可動框内に収納することができるので、スクリーンの開閉の範囲を可動框の高さのほぼ２倍を限度として、拡げることができる。
【００１２】
また、上記スクリーン装置においては、ガイド部材の両端に連結した張紐をガイド部材の両端から各可動框内を上端に導き、それらの上端から各可動框に近い側枠に導いて、そこに先端を連結することができ、この場合には、スクリーンの開閉できる範囲に可動框の高さの範囲内という制限を受けるが、スクリーンの開閉操作及びスクリーンの張設位置の変更を行っても、ガイド部材が床面を摺擦することはない。
【００１３】
このように、上記本発明のスクリーン装置によれば、従来のスクリーン装置における各種の問題点を、張紐の張設等を考慮することにより適宜解消することができる。
【００１４】
【発明の実施の形態】
図１乃至図６は、本発明に係るスクリーン装置の第１実施例を示すもので、ここでは、本発明のスクリーン装置を、スクリーンとして交互に逆方向に折り返してアコーディオン式に伸縮自在とした伸縮する防虫用のネット２を用い、それを横引きにより開閉する防虫網戸１として構成した場合を示している。
なお、上記スクリーンは、防虫用のネットばかりでなく、遮光、目隠し、あるいは断熱等のためのスクリーンとして構成することができる。
【００１５】
上記防虫網戸１は、概略的には、網戸枠３と、該網戸枠３内において横開きにより開閉自在のネット２と、該ネット２の両端に連結された一対の開閉操作用の可動框５Ａ，５Ｂとを備えている。これらの可動框５Ａ，５Ｂは、以下に詳述するように、建物開口部に設置する網戸枠（スクリーン枠）３の左右の側枠６Ａ，６Ｂ間の任意位置で横引きにより上記ネット２を開閉するものである。
【００１６】
上記網戸枠３は、左右の側枠６Ａ，６Ｂと上部の横枠１０とを有しているが、該網戸枠３の下部には格別の横枠を設ける必要はなく、それに代えて、ネット２の揺れを抑止するガイド部材１２が、可動框５Ａ，５Ｂの移動に伴ってそれらの下端から出没するように設けられている。
但し、網戸枠３の下部の横枠は、建物開口部を出入りする者の歩行の障害とならない程度で設けることができ、例えば、上記ガイド部材１２の摺動を案内する程度の溝等を設けることができ、それにより老人や障害者に対するバリアフリーを実現することができる。
【００１７】
上記ガイド部材１２は、可動框５Ａ，５Ｂの操作に伴うネット２の伸縮に応じて、それらの可動框５Ａ，５Ｂの下部から内部に屈曲して出入りし、張設状態にあるネット２の下端に沿って導出されたときに、そのネットの下端を保持した状態でガイドし、該ネット２の下端の風等による揺れを抑止する機能を備えるもので、具体的には、図７に示すように、弾性のある柔軟な合成樹脂からなる略コ字状断面の押出し材の一部を部分的に切除することによって構成している。
【００１８】
即ち、ネット２の下端に添う底部１２ｂと、ネット２の表裏外面に添って立ち上がり、該底部１２ｂの撓みを可能にするための一定間隔の多数の凹欠部１２ｃを切設した一対の揺れ止め部１２ａ，１２ａとを含む略コ字状断面の長尺材として構成し、また、上記底部１２ｂの裏面の両側にはガイド用突条１２ｅ，１２ｅを設け、このガイド用突条１２ｅにおける上記凹欠部１２ｃに対応する位置に、底部１２ｂの撓みを容易にする切欠き１２ｆを設けている。
上記ガイド用突条１２ｅ，１２ｅは、建物開口部の床面上に歩行の障害にならない程度の高さのガイド部Ｂを設け（図６，９参照）、両ガイド用突条１２ｅ，１２ｅをガイド部Ｂに沿わせることにより、ガイド部材１２の適正な摺動を安定的にするものである。
【００１９】
なお、図７に示しているガイド部材１２は、単なる一例を示すものであって、一対の揺れ止め部１２ａ，１２ａ及び底部１２ｂに対応する部分を持った状態で分割成形した多数のガイド部片を、上記ガイド部材１２と同様に屈曲あるいは回転可能に連結したものとすることができる。
【００２０】
上記ガイド部材１２は、前述したようにネット２の開閉に伴って可動框５Ａ，５Ｂの下部から屈曲させてその内部に出入りさせ、該可動框５Ａ，５Ｂの下部からの導出によってネット２の下端をガイドさせるものであるが、その可動框への出入りは、図４に示すように、可動框５Ａにガイド部材１２を湾曲させる内外側の湾曲ガイド部１４，１５を設け、それに沿ってガイド部材１２を移行させるようにしている。可動框５Ｂについても同様である。
なお、図４における上記内側の湾曲ガイド部１４は、ガイド部材１２の底部１２ｂまたは一対の揺れ止め部１２ａ，１２ａに低摩擦で接触してガイド部材１２を湾曲させるものであるが、該湾曲ガイド部１４を、ガイド部材１２の同様な部分に接触するローラ状の部材とすることもできる。
【００２１】
また、上記ガイド部材１２の両端部には、それが可動框５Ａ，５Ｂ内を下端部まで移動したときに該可動框の下部の一部と接触するストッパ片１６を設け、それらによって、ガイド部材１２の端部が可動框５Ａ，５Ｂの下部から脱出するのを防止するストッパ機構を形成させている。
一方、この網戸１は図８に示すような引き違いの障子３０に沿って使用することを前提としているので、網戸枠３の上部の横枠１０には、一対の可動框５Ａ，５Ｂが一つの障子に対応する範囲内において開くように、両端にストッパ１８Ａ，１８Ｂを備えた開放規制部材１７を配設し、しかも、ネット２の張設位置を変更可能にするため、この開放規制部材１７を上部の横枠１０に沿って左右に移動自在に保持させている。
【００２２】
上記ガイド部材１２を安定的に動作させ、また、可動框５Ａ，５Ｂの平行移動機構を構成するため、該ガイド部材１２の両端には張紐２０を連結し、該張紐２０をガイド部材１２の両端から各可動框５Ａ，５Ｂ内を上端に導き、それらの上端から各可動框５Ａ，５Ｂに近い側枠６Ａ，６Ｂに導いたうえで、各側枠６Ａ，６Ｂにおいて折り返し、それらの張紐端を相互に連結した状態として、ガイド部材１２と張紐２０がループ状をなすように形成している。従って、上記ストッパ機構によりガイド部材１２の移動が制限されない範囲内においては、張紐２０またはガイド部材１２をそのループに沿う方向に強制的に押すことにより、その方向に移動させることができ、両可動框がどのような位置にあってもそれを実現できる。しかも、可動框５Ａ，５Ｂのそれぞれがどのような位置に移動しても、それらが正常な姿勢を有している限り張紐２０に弛みが生じることはない。
【００２３】
上記ネット２の一端に取り付けた可動框５Ａ，５Ｂを安定的に平行移動させるため、該可動框５Ａ，５Ｂには、上記ガイド部材１２及び張紐２０と協働して可動框５Ａ，５Ｂの姿勢を一定に保持しながら平行移動させるための平行移動機構を付設している。
まず、上記ガイド部材１２及びその両端を連結した張紐２０は、図１または図４において、両可動框５Ａ，５Ｂの上端がネット２側に傾動するのを抑制し、且つ両可動框５Ａ，５Ｂの下端が開くのを抑制するように機能するものである。
【００２４】
一方、左右の側枠６Ａ，６Ｂの下部に固定した張紐（実線）２２は、それらの側枠６Ａ，６Ｂの下端から可動框５Ａ，５Ｂの下端を経て、可動框５Ａ，５Ｂの上部に至り、そこでネット２内に挿通して相互に連結する態様で張設している。この張紐２２も、可動框５Ａ，５Ｂのそれぞれがどのような位置に移動しても、それらが正常な姿勢を有している限り弛みが生じることはない。また、この張紐２２は、上記張紐２０とは逆に、図１または図４において、両可動框５Ａ，５Ｂの上端が開く方向に傾動するのを抑制し、且つ両可動框５Ａ，５Ｂの下端がネット２側に傾動するのを抑制するように機能するものである。
従って、上記張紐２０及びガイド部材１２、並びに、上記張紐２２の作用により、可動框５Ａ，５Ｂは、それらが移動するとき、常にその姿勢が一定に保持され、即ちそれらが可動框の平行移動機構を構成することになる。
【００２５】
この平行移動機構とは別に、図示の網戸では、左右の側枠６Ａ，６Ｂと可動框５Ａ，５Ｂとの間には、２本の張紐２４，２６を張設している（理解を容易にするため点線で図示）。
張紐２４は、その一端を側枠６Ａの下端に連結し、そこから該側枠６Ａ側の可動框５Ａの下端を通して同可動框５Ａ内を上部に導き、そこでで折り返した後に再び該可動框５Ａの下部に戻り、その後ネット２内に挿通して他方の可動框５Ｂの下部に至り、該可動框５Ｂ内を上端に導いた後、そこから横枠１０に沿って他方の側枠６Ｂの上端に導き、そこに端部を固定するようにしている。
また、張紐２６は、その一端を側枠６Ａの上端に連結し、そこから該側枠６Ａ側の可動框５Ａの上端を通して同可動框５Ａ内を中間部まで導き、そこからネット２内に挿通して他方の可動框５Ｂの中間部に至り、その後該可動框５Ｂ内を上端に導いた後、再び該可動框５Ｂ内を下端に導き、そこから他方の側枠６Ｂの下端に導き、そこに端部を固定するようにしている。
なお、これらの張紐２４，２６も上記平行移動機構の一部として機能させることもできる。
【００２６】
上記張紐２２，２４，２６においてネット２内に挿通して水平方向に張設されている部分では、それらの張紐によりネット２の弛みを防止し、ネット２の張設状態を安定化させることができる。
また、明瞭に図示していないが、各張紐２０，２２，２４，２６の折返し部や折曲部には、各張紐の移動を円滑化するため、転向子を配設している。これらの転向子としては、各張紐との抵抗が小さい合成樹脂製の摺動部材、あるいはプーリなどを用いることができる。
更に、上記平行移動機構では、ガイド部材１２及びそれに連結した張紐２０を利用しているが、周知のように、該ガイド部材１２を利用しない平行移動機構を用いることもできる。
【００２７】
図８及び図９は、上記網戸１の使用態様を例示的に示すもので、ここでは、引き違いの障子３０に沿ってその内側に設置して使用する場合を示している。
従って、一対の可動框５Ａ，５Ｂが一つの障子３０に対応する範囲内において開くように構成し、しかも、ネット２の張設位置を建物開口部の左右その他の任意の位置に変更可能にしている。
なお、上記網戸１の使用は、このような使用態様に限られるものではなく、建物開口の戸障子の開閉態様に応じて、例えば、建物開口の全体またはその一部にネットを張設可能にするなど、任意の態様で利用することができる。
【００２８】
上記構成を有する横引き網戸は、図１の状態から可動框５Ｂを操作して、それを可動框５Ａ側に移動すると、ガイド部材１２を図２に示すように可動框５Ｂ内に収容した状態でネット２が折り畳まれ、また、図１の状態から可動框５Ａを操作して、それを可動框５Ｂ側に移動すると、ガイド部材１２を図３に示すように可動框５Ａ内に収容した状態でネット２が折り畳まれる。いずれの場合も、移動した可動框を元の位置に戻すと、図１の状態にネット２が張設される。
これらの可動框の操作によるネット２の開閉時においては、ガイド部材１２が可動框の下端から出入りするが、その際にガイド部材１２が床面上をガイド部Ｂに沿って摺動することはなく、摺擦音が発したり、床面に摺動痕が残ることはない。
【００２９】
一方、図１の状態から両可動框５Ａ，５Ｂと共にネット２を左方に移動させ、図４に示すように、ネット２の張設位置を変更する場合には、可動框５Ａ，５Ｂとガイド部材１２の位置的関係をそのままにして、それらを移動させればよく、それによって図４の位置でネット２を開閉できる。この場合には、ガイド部材１２が床面を擦りながら移動することになるが、このような操作を行う機会は比較的少ないので、騒音や床面の摺動痕が顕著になることはない。
なお、上述した可動框５Ａ，５Ｂとガイド部材１２の移動に際しては、それらの位置的関係を考慮することなく移動させることもでき、その場合、ガイド部材１２の端部が可動框５Ａ，５Ｂの下部から脱出する方向に移動しても、可動框５Ａ，５Ｂとガイド部材１２との間にその脱出を防止するストッパ機構を備えているので、該ストッパ機構によってガイド部材１２が強制的に床面上を移動せしめられることになる。
【００３０】
即ち、上記ガイド部材１２は、それに対して、ネット２の開閉に伴って可動框の操作方向に強制的な駆動力が作用する場合には、該ガイド部材１２が床面を摺擦してその方向に移動するが、上記駆動力が作用せず、あるいは作用しても比較的小さい場合には、ガイド部材１２と床面との間、あるいはガイド部材１２と非駆動側の可動框との間に作用する摩擦力等により、床面に対して相対的に移動せず、そのため、ガイド部材１２が床面上を擦ることはない。
【００３１】
また、上記網戸では、いわゆるネット２の吊元を変更し、建物開口部の全体、右半、左半、中央、その他の任意位置にネット２を移動して張設することができ、それらの場合に、ネット２の両端に設けた可動框５Ａ，５Ｂの開閉操作に左右の対称性が付与され、操作性において優れたものとなる。更に、ネット２の非張設時には、可動框の下端に設けたガイド部材１２を双方の可動框５Ａ，５Ｂ内に収納することができるので、ネット２の開閉の範囲を可動框の高さのほぼ２倍を限度として、拡げることができる。
【００３２】
図１０は、本発明の第２実施例の構成を示すもので、この第２実施例では、前記実施例の場合と同様なガイド部材４２の両端に張紐５０Ａ，５０Ｂを連結し、該張紐をガイド部材４２の両端から各可動框５Ａ，５Ｂ内を上端に導き、それらの上端から各可動框に近い側枠６Ａ，６Ｂに導いて、そこに先端を連結している。この場合には、ネット２の開閉できる範囲に可動框５Ａ，５Ｂの高さの範囲内という制限を受けるが、ネット２の開閉操作及びネットの張設位置の変更を行っても、ガイド部材４２が床面を摺擦することはない。
【００３３】
なお、この第２実施例のその他の構成及び作用は、実質的に第１実施例の場合と相違するところがないので、主要な部分に同一の符号を付してその説明を省略する。
また、ここでは本発明のスクリーン装置を網戸に適用した場合の実施例について説明したが、前述した他の用途に適用できるのは勿論である。
【００３４】
【発明の効果】
以上に詳述した本発明のスクリーン装置によれば、従来のスクリーン装置における各種の問題点を、張紐の張設等を考慮することにより適宜解消することができ、例えば、ガイド部材に対して可動框の操作方向に強制的な駆動力が作用せず、あるいは作用しても比較的小さい場合には、ガイド部材と床面との間、あるいはガイド部材と非駆動側の可動框との間に作用する摩擦力等により、ガイド部材が床面に対して相対的に移動せず、そのため、ガイド部材が建物開口部の床面上を擦ることはなく、摺擦音が発したり床面に摺動痕が残ることはない。
また、上記スクリーン装置では、いわゆるスクリーンの吊元を変更し、建物開口部内の右半、左半、中央、その他の任意位置にスクリーンを移動して張設することができ、それらの場合に、スクリーンの両端に設けた可動框の開閉操作に左右の対称性が付与され、操作性において優れたものとなる。
【図面の簡単な説明】
【図１】本発明に係るスクリーン装置の第１実施例の正面図である。
【図２】上記実施例の他の動作状態を示す正面図である。
【図３】上記実施例の更に他の動作状態を示す正面図である。
【図４】上記実施例の更に他の動作状態を示す要部縦断正面図である。
【図５】上記実施例の水平断面図である。
【図６】上記実施例の側断面図である。
【図７】上記実施例におけるガイド部材の部分的斜視図である。
【図８】上記実施例のスクリーン装置の設置状態を示す水平断面図である。
【図９】上記実施例のスクリーン装置の設置状態を示す側断面図である。
【図１０】本発明に係るスクリーン装置の第２実施例を示す正面図である。
【符号の説明】
１    網戸
２    ネット
３    網戸枠
５Ａ，５Ｂ    可動框
６Ａ，６Ｂ    側枠
１０    横枠部材
１２，４２    ガイド部材
２０，２２，２４，２６，５０Ａ，５０Ｂ    張紐
【図１】
0003949410.tif 000002
【図２】
0003949410.tif 000003
【図３】
0003949410.tif 000004
【図４】
0003949410.tif 000005
【図５】
0003949410.tif 000006
【図６】
0003949410.tif 000007
【図７】
0003949410.tif 000008
【図８】
0003949410.tif 000009
【図９】
0003949410.tif 000010
【図１０】
0003949410.tif 000011